(57)【要約】【課題】本願は、次元コードの初期設定の効率を上げる２次元コードの初期設定を行う方法及び装置を開示する。【解決手段】本願の実施の形態において提供される２次元コードの初期設定を行う方法は、２次元コードについての情報を受け取り、品物群の名称と２次元コードについての情報の間の予め設定された対応関係に従って、２次元コードについての情報に対応する品物群の名称を決定することと、２次元コードについての情報に対応する品物群の名称に従って、品物群の名称に対応する複数の２次元コードを決定することと、複数の２次元コードについての情報を、商品情報が書き込まれるとともに２次元コードについての情報に対応する品物群の名称に対応するＵＲＬに関連付けることと、を含む。【選択図】図１
2019505050.tif 000002
【特許請求の範囲】
【請求項１】
２次元コードの初期設定を行う方法であって、
２次元コードについての情報を受け取り、品物群の名称と前記２次元コードについての情報の間の予め設定された対応関係に従って、前記２次元コードについての情報に対応する品物群の名称を決定することと、
前記２次元コードについての情報に対応する品物群の名称に従って、前記品物群の名称に対応する複数の２次元コードについての情報を決定することと、
前記複数の２次元コードについての情報を、商品情報が書き込まれるとともに前記２次元コードについての情報に対応する品物群の名称に対応するＵＲＬに関連付けることと、
を備える方法。
【請求項２】
ユーザによって入力された品物群の名称を受け取り、
前記ユーザによって入力された２次元コードのボリュームの開始２次元コードについての情報を受け取り、
前記ユーザが選択するための関連付け方法を出力し、
前記ユーザによって選択された関連付け方法がボリューム全体の関連付けであるとき、前記ボリュームの２次元コードの予め決定されたシーケンス番号割当規則及び前記開始２次元コードのシーケンス番号に従って前記ボリュームの他の２次元コードのシーケンス番号を決定し、２次元コードのシーケンス番号と前記２次元コードについての情報の間の予め決定された対応関係及び前記ボリュームの他の２次元コードのシーケンス番号に従って前記ボリュームの他の２次元コードについての情報を決定し、前記品物群と前記ボリュームの全ての２次元コードについての情報の間の対応関係を確立するように、前記品物群の名称と前記２次元コードについての情報の間の対応関係を予め決定する請求項１に記載の方法。
【請求項３】
ユーザによって入力された品物群の名称を受け取り、
前記ユーザによって入力された２次元コードのボリュームの開始２次元コードについての情報を受け取り、
前記ユーザが選択するための関連付け方法を出力し、
前記ユーザによって選択された関連付け方法がボリューム内の部分的な関連付けであるとき、前記ユーザによって入力された２次元コードのボリュームの終了２次元コードについての情報を受け取り、前記ボリュームの２次元コードの予め決定されたシーケンス番号割当規則及び前記開始２次元コードのシーケンス番号に従って前記ボリュームの前記開始２次元コードと前記終了２次元コードの間の２次元コードのシーケンス番号を決定し、２次元コードのシーケンス番号と前記２次元コードについての情報の間の予め決定された対応関係及び前記ボリュームの前記開始２次元コードと前記終了２次元コードの間の２次元コードのシーケンス番号に従って前記ボリュームの前記開始２次元コードと前記終了２次元コードの間の２次元コードについての情報を決定し、前記品物群と前記ボリュームの前記開始２次元コードから前記終了２次元コードまでについての情報の間の対応関係を確立するように、前記品物群の名称と前記２次元コードについての情報の間の対応関係を予め決定する請求項１に記載の方法。
【請求項４】
各ボリュームは同じ量の２次元コードを備える請求項２又は３に記載の方法。
【請求項５】
各ボリュームの２次元コードのシーケンス番号は連続的である請求項２又は３に記載の方法。
【請求項６】
受け取った前記２次元コードについての情報と品物情報がブランクであるＵＲＬ又は品物情報が誤っていることを促す情報を有するページとの関連付けをユーザの命令に従って行うことを更に備える請求項１に記載の方法。
【請求項７】
２次元コードの初期設定を行う装置であって、
２次元コードについての情報を受け取り、品物群の名称と前記２次元コードについての情報の間の予め設定された対応関係に従って、前記２次元コードについての情報に対応する品物群の名称を決定するように構成された第１のユニットと、
前記２次元コードについての情報に対応する品物群の名称に従って、前記品物群の名称に対応する複数の２次元コードについての情報を決定するように構成された第２のユニットと、
前記複数の２次元コードについての情報を、商品情報が書き込まれるとともに前記２次元コードについての情報に対応する品物群の名称に対応するＵＲＬに関連付けるように構成された第３のユニットと、
を備える装置。
【請求項８】
ユーザによって入力された品物群の名称を受け取り、
前記ユーザによって入力された２次元コードのボリュームの開始２次元コードについての情報を受け取り、
前記ユーザが選択するための関連付け方法を出力し、
前記ユーザによって選択された関連付け方法がボリューム全体の関連付けであるとき、前記ボリュームの２次元コードの予め決定されたシーケンス番号割当規則及び前記開始２次元コードのシーケンス番号に従って前記ボリュームの他の２次元コードのシーケンス番号を決定し、２次元コードのシーケンス番号と前記２次元コードについての情報の間の予め決定された対応関係及び前記ボリュームの他の２次元コードのシーケンス番号に従って前記ボリュームの他の２次元コードについての情報を決定し、前記品物群と前記ボリュームの全ての２次元コードについての情報の間の対応関係を確立するように、前記品物群の名称と前記２次元コードについての情報の間の対応関係を前記第１のユニットによって予め決定する請求項７に記載の装置。
【請求項９】
ユーザによって入力された品物群の名称を受け取り、
前記ユーザによって入力された２次元コードのボリュームの開始２次元コードについての情報を受け取り、
前記ユーザが選択するための関連付け方法を出力し、
前記ユーザによって選択された関連付け方法がボリューム内の部分的な関連付けであるとき、前記ユーザによって入力された２次元コードのボリュームの終了２次元コードについての情報を受け取り、前記ボリュームの２次元コードの予め決定されたシーケンス番号割当規則及び前記開始２次元コードのシーケンス番号に従って前記ボリュームの前記開始２次元コードと前記終了２次元コードの間の２次元コードのシーケンス番号を決定し、２次元コードのシーケンス番号と前記２次元コードについての情報の間の予め決定された対応関係及び前記ボリュームの前記開始２次元コードと前記終了２次元コードの間の２次元コードのシーケンス番号に従って前記ボリュームの前記開始２次元コードと前記終了２次元コードの間の２次元コードについての情報を決定し、前記品物群と前記ボリュームの前記開始２次元コードから前記終了２次元コードまでについての情報の間の対応関係を確立するように、前記品物群の名称と前記２次元コードについての情報の間の対応関係を前記第１のユニットによって予め決定する請求項７に記載の装置。
【請求項１０】
各ボリュームは同じ量の２次元コードを備える請求項８又は９に記載の装置。
【請求項１１】
各ボリュームの２次元コードのシーケンス番号は連続的である請求項８又は９に記載の装置。
【請求項１２】
前記第３のユニットは、受け取った前記２次元コードについての情報と品物情報がブランクであるＵＲＬ又は品物情報が誤っていることを促す情報を有するページとの関連付けをユーザの命令に従って行うように更に構成された請求項７に記載の装置。
【発明の詳細な説明】
【技術分野】
【０００１】
本願は、情報技術の分野に関し、特に、２次元コードの初期設定を行う方法及び装置に関する。
【背景技術】
【０００２】
２次元コードの初期設定の解決策は、２次元コードの対応の確立の問題及び低い管理効率の問題を有する。２次元コードのユーザ側によって申し込まれる２次元コードを、複数の品物群に適用することができる。したがって、バックグラウンドデータベースに対応する２次元コードがどの商品群に適用されるかを、外観のみに基づいて決定することができない。初期設定を飛ばす又は初期設定を誤る問題を回避するために、２次元コードの初期設定が行われるときに、書き込まれた情報が確認された品物の２次元コードを、コードスキャン装置を用いることによって一つずつスキャンする必要がある。物理的な２次元コードがバックグランドデータベースに記録された情報と一致することが決定された後に、２次元コードは、関連の品物情報が書き込まれたＵＲＬに関連付けされる。したがって、品物群が比較的多い量の品物を有する場合、一つずつスキャンすることによって達成される２次元コードの初期設定の作業効率が比較的低くなる。
【発明の概要】
【発明が解決しようとする課題】
【０００３】
本願の実施の形態は、２次元コードの初期設定の効率を上げる２次元コードの初期設定を行う方法及び装置を提供する。
【課題を解決するための手段】
【０００４】
本願の実施の形態において提供される２次元コードの初期設定を行う方法は、２次元コードについての情報を受け取り、品物群の名称と２次元コードについての情報の間の予め設定された対応関係に従って、２次元コードについての情報に対応する品物群の名称を決定することと、２次元コードについての情報に対応する品物群の名称に従って、品物群の名称に対応する複数の２次元コードについての情報を決定することと、複数の２次元コードについての情報を、商品情報が書き込まれるとともに２次元コードについての情報に対応する品物群の名称に対応するＵＲＬに関連付けることと、を含む。
【０００５】
方法によれば、２次元コードについての情報を受け取り、品物群の名称と２次元コードについての情報の間の予め設定された対応関係に従って、２次元コードについての情報に対応する品物群の名称を決定し、２次元コードについての情報に対応する品物群の名称に従って、品物群の名称に対応する複数の２次元コードについての情報を決定し、複数の２次元コードについての情報を、商品情報が書き込まれるとともに２次元コードについての情報に対応する品物群の名称に対応するＵＲＬに関連付ける。したがって、一つの品物群に対応する複数の２次元コードについての情報を、商品群を単位として用いることによって対応するＵＲＬに一旦関連させることができる。方法は、従来の一つずつ２次元コードの初期設定を行う動作よりも２次元コードの初期設定の効率を大幅に上げる。
【０００６】
オプションで、ユーザによって入力された品物群の名称を受け取り、ユーザによって入力された２次元コードのボリュームの開始２次元コードについての情報を受け取り、ユーザが選択するための関連付け方法を出力し、ユーザによって選択された関連付けがボリューム全体の関連付けであるとき、ボリュームの２次元コードの予め決定されたシーケンス番号割当規則及び開始２次元コードのシーケンス番号に従ってボリュームの他の２次元コードのシーケンス番号を決定し、２次元コードのシーケンス番号と２次元コードについての情報の間の予め決定された対応関係及びボリュームの他の２次元コードのシーケンス番号に従ってボリュームの他の２次元コードについての情報を決定し、品物群とボリュームの全ての２次元コードについての情報の間の対応関係を確立するように、品物群の名称と２次元コードについての情報の間の対応関係を予め決定する。
【０００７】
オプションで、ユーザによって入力された品物群の名称を受け取り、ユーザによって入力された２次元コードのボリュームの開始２次元コードについての情報を受け取り、ユーザが選択するための関連付け方法を出力し、ユーザによって選択された関連付け方法がボリューム内の部分的な関連付けであるとき、ユーザによって入力された２次元コードのボリュームの終了２次元コードについての情報を受け取り、ボリュームの２次元コードの予め決定されたシーケンス番号割当規則及び開始２次元コードのシーケンス番号に従ってボリュームの開始２次元コードと終了２次元コードの間の２次元コードのシーケンス番号を決定し、２次元コードのシーケンス番号と２次元コードについての情報の間の予め決定された対応関係及びボリュームの開始２次元コードと終了２次元コードの間の２次元コードのシーケンス番号に従ってボリュームの開始２次元コードと終了２次元コードの間の２次元コードについての情報を決定し、品物群とボリュームの開始２次元コードから終了２次元コードまでについての情報の間の対応関係を確立するように、品物群の名称と２次元コードについての情報の間の対応関係を予め決定する。
【０００８】
オプションで、各ボリュームは同じ量の２次元コードを含む。
【０００９】
オプションで、各ボリュームの２次元コードのシーケンス番号は連続的である。
【００１０】
オプションで、方法は、受け取った２次元コードについての情報と品物情報がブランクであるＵＲＬ又は品物情報が誤っていることを促す情報を有するページとの関連付けをユーザの命令に従って行うことを更に含む。
【００１１】
本願の実施の形態において提供される２次元コードの初期設定を行う装置は、２次元コードについての情報を受け取り、品物群の名称と２次元コードについての情報の間の予め設定された対応関係に従って、２次元コードについての情報に対応する品物群の名称を決定するように構成された第１のユニットと、２次元コードについての情報に対応する品物群の名称に従って、品物群の名称に対応する複数の２次元コードについての情報を決定するように構成された第２のユニットと、複数の２次元コードについての情報を、商品情報が書き込まれるとともに２次元コードについての情報に対応する品物群の名称に対応するＵＲＬに関連付けるように構成された第３のユニットと、を含む。
【００１２】
オプションで、ユーザによって入力された品物群の名称を受け取り、ユーザによって入力された２次元コードのボリュームの開始２次元コードについての情報を受け取り、ユーザが選択するための関連付け方法を出力し、ユーザによって選択された関連付け方法がボリューム全体の関連付けであるとき、ボリュームの２次元コードの予め決定されたシーケンス番号割当規則及び開始２次元コードのシーケンス番号に従ってボリュームの他の２次元コードのシーケンス番号を決定し、２次元コードのシーケンス番号と２次元コードについての情報の間の予め決定された対応関係及びボリュームの他の２次元コードのシーケンス番号に従ってボリュームの他の２次元コードについての情報を決定し、品物群とボリュームの全ての２次元コードについての情報の間の対応関係を確立するように、品物群の名称と２次元コードについての情報の間の対応関係を第１のユニットによって予め決定する。
【００１３】
オプションで、ユーザによって入力された品物群の名称を受け取り、ユーザによって入力された２次元コードのボリュームの開始２次元コードについての情報を受け取り、ユーザが選択するための関連付け方法を出力し、ユーザによって選択された関連付け方法がボリューム内の部分的な関連付けであるとき、ユーザによって入力された２次元コードのボリュームの終了２次元コードについての情報を受け取り、ボリュームの２次元コードの予め決定されたシーケンス番号割当規則及び開始２次元コードのシーケンス番号に従ってボリュームの開始２次元コードと終了２次元コードの間の２次元コードのシーケンス番号を決定し、２次元コードのシーケンス番号と２次元コードについての情報の間の予め決定された対応関係及びボリュームの開始２次元コードと終了２次元コードの間の２次元コードのシーケンス番号に従ってボリュームの開始２次元コードと終了２次元コードの間の２次元コードについての情報を決定し、品物群とボリュームの開始２次元コードから終了２次元コードまでについての情報の間の対応関係を確立するように、品物群の名称と２次元コードについての情報の間の対応関係を第１のユニットによって予め決定する。
【００１４】
オプションで、各ボリュームは同じ量の２次元コードを含む。
【００１５】
オプションで、各ボリュームの２次元コードのシーケンス番号は連続的である。
【００１６】
オプションで、第３のユニットは、受け取った２次元コードについての情報と品物情報がブランクであるＵＲＬ又は品物情報が誤っていることを促す情報を有するページとの関連付けをユーザの命令に従って行うように更に構成される。
【図面の簡単な説明】
【００１７】
【図１】本願の実施の形態による２次元コードの初期設定を行う方法の概略フローチャートである。
【図２】本願の実施の形態による２次元コードのボリュームの２次元コードのシーケンス番号の模式図である。
【図３】本願の実施の形態による２次元コードと商品群との関連付けを行う概略フローチャートである。
【図４】本願の実施の形態による２次元コードと商品群との関連付けを行うプロセスにおけるユーザに対するインタフェース出力の模式図である。
【図５】本願の実施の形態による２次元コードと商品群との関連付けを行うプロセスにおけるユーザに対するインタフェース出力の模式図である。
【図６】本願の実施の形態による２次元コードの申し込み及び初期設定の概略フローチャートである。
【図７】本願の実施の形態による２次元コードの初期設定を行う装置の概略構成図である。
【発明を実施するための形態】
【００１８】
本願の実施の形態は、２次元コードの初期設定の効率を上げる２次元コードの初期設定を行う方法及び装置を提供する。
【００１９】
図１を参照すると、本願の実施の形態において提供される２次元コードの初期設定を行う方法は、以下のステップを含む。
【００２０】
Ｓ１０１：２次元コードについての情報を受け取り、品物群の名称と２次元コードについての情報の間の予め設定された対応関係に従って、２次元コードについての情報に対応する品物群の名称を決定する。
【００２１】
Ｓ１０２：２次元コードについての情報に対応する品物群の名称に従って、品物群の名称に対応する複数の２次元コードについての情報を決定する。
【００２２】
Ｓ１０３：複数の２次元コードについての情報を、商品情報が書き込まれるとともに２次元コードについての情報に対応する品物群の名称に対応するＵＲＬに関連付ける。
【００２３】
方法によれば、２次元コードについての情報を受け取り、品物群の名称と２次元コードについての情報の間の予め設定された対応関係に従って、２次元コードについての情報に対応する品物群の名称を決定し、２次元コードについての情報に対応する品物群の名称に従って、品物群の名称に対応する複数の２次元コードについての情報を決定し、複数の２次元コードについての情報を、商品情報が書き込まれるとともに２次元コードについての情報に対応する品物群の名称に対応するＵＲＬに関連付ける。したがって、一つの品物群に対応する複数の２次元コードについての情報を、商品群を単位として用いることによって対応するＵＲＬに一旦関連させることができる。方法は、従来の一つずつ２次元コードの初期設定を行う動作よりも２次元コードの初期設定の効率を大幅に上げる。
【００２４】
さらに、２次元コードを用いる必要がある多くの状況において、製造、輸送及び商品が正規のものであるか否かのような購入した商品についての重要な情報を顧客によって明確に理解できるようにするために、商品情報トラックバックのための２次元コードがこれらの商品に貼り付けられる。しかしながら、既存の２次元コードの配信の解決法において、２次元コードは、必要に応じて生成及び印刷される。すなわち、２次元コードのユーザ側は、必要な量の２次元コードを申し込む。時々、ユーザ側は、２次元コードの不足を防止するためにできるだけ多くの２次元コードを申し込む必要があるが、実際には、全ての２次元コードを用いることができず、一部の２次元コードが用いられないままであり、その結果、廃棄が生じる。ユーザ側が次回に２次元コードを申し込む必要があるとき、比較的不便な申し込みが再び要求され、２次元コードのプロバイダは、植字及び印刷を複数回行う必要があり、印刷費が比較的高くなる。
【００２５】
本願の本実施の形態において、極めて多い印刷の解決法及び要求に基づく申し込みに基づいて、２次元コードのプロバイダは、比較的多い量の２次元コードを一度に印刷することができ、要求に応じて種々の要求側に２次元コードを割り当て、その結果、印刷費を効果的に低減することができ、作業効率を上げることができる。特定の技術的解決法は、以下の通りである。
【００２６】
オプションで、ユーザによって入力された品物群の名称を受け取り、
ユーザによって入力された２次元コードのボリュームの開始２次元コードについての情報を受け取り、
ユーザが選択するための関連付け方法を出力し、
ユーザによって選択された関連付け方法がボリューム全体の関連付けであるとき、ボリュームの２次元コードの予め決定されたシーケンス番号割当規則及び開始２次元コードのシーケンス番号に従ってボリュームの他の２次元コードのシーケンス番号を決定し、２次元コードのシーケンス番号と２次元コードについての情報の間の予め決定された対応関係及びボリュームの他の２次元コードのシーケンス番号に従ってボリュームの他の２次元コードについての情報を決定し、品物群とボリュームの全ての２次元コードについての情報の間の対応関係を確立するように、品物群の名称と２次元コードについての情報の間の対応関係を予め決定する。
【００２７】
したがって、本願の本実施の形態において、予め記録された各ボリュームの２次元コードのシーケンス番号の割当規則及びボリュームの開始２次元コードのシーケンス番号に基づいて、商品群とボリュームの全ての２次元コードについての情報の間の対応関係を一度に確立することができる。
【００２８】
オプションで、ユーザによって入力された品物群の名称を受け取り、
ユーザによって入力された２次元コードのボリュームの開始２次元コードについての情報を受け取り、
ユーザが選択するための関連付け方法を出力し、
ユーザによって選択された関連付け方法がボリューム内の部分的な関連付けであるとき、ユーザによって入力された２次元コードのボリュームの終了２次元コードについての情報を受け取り、ボリュームの２次元コードの予め決定されたシーケンス番号割当規則及び開始２次元コードのシーケンス番号に従ってボリュームの開始２次元コードと終了２次元コードの間の２次元コードのシーケンス番号を決定し、２次元コードのシーケンス番号と２次元コードについての情報の間の予め決定された対応関係及びボリュームの開始２次元コードと終了２次元コードの間の２次元コードのシーケンス番号に従ってボリュームの開始２次元コードと終了２次元コードの間の２次元コードについての情報を決定し、品物群とボリュームの開始２次元コードから終了２次元コードまでについての情報の間の対応関係を確立するように、品物群の名称と２次元コードについての情報の間の対応関係を予め決定する。
【００２９】
したがって、本願の本実施の形態において、予め記録された各ボリュームの２次元コードのシーケンス番号の割当規則並びにボリュームの開始２次元コードのシーケンス番号及び終了２次元コードのシーケンス番号に基づいて、商品群とボリュームの一部の２次元コードについての情報の間の対応関係を一度に確立することができる。ボリュームの残りの２次元コードは、廃棄を防止するために次の商品群に用いることができるブランクコードである。
【００３０】
オプションで、各ボリュームは同じ量の２次元コードを含む。
【００３１】
オプションで、各ボリュームの２次元コードのシーケンス番号は連続的である。
【００３２】
要約すると、本願の本実施の形態において、少量の２次元コードの印刷費を低減するために、２次元コードの生成側は、印刷のために極めて多いブランクコードを一度に予め生成する。これらのブランクコードは、バックグランドデータベースの対応情報記録を有する、すなわち、画像と各ブランクコードのシーケンス番号の間の対応関係が記録される。物理的に印刷されたコードは、図２に示すようにボリュームで管理される。すなわち、（１００のような）一定量の２次元コードが一つのボリュームに存在し、各２次元コード画像は、それ自体の独自のシーケンス番号を有する。このシーケンス番号は、データベースの対応コード記録に関連付けられ、すなわち、画像と各ブランクコードのシーケンス番号の間の対応関係が記録され、各ボリュームにおいて、２次元コード画像は、２次元コード画像のシーケンス番号の順番でソートされる。
【００３３】
２次元コードのユーザ側は、一定の期間にユーザによって用いられるコードの量を推定し、２次元コードのプロバイダに当該量のコードを申し込む。２次元コードのプロバイダは、申し込まれた最小量のボリュームに従って、予め生成した大量の２次元コードから小群の２次元コードの申込側（又はユーザ側）に一部のボリュームをランダムに割り当てる。２次元コードの各ボリュームの２次元コードは、独自の対応するシーケンス番号を有し、シーケンス番号は、予め決定された規則に従ってソートされる。したがって、２次元コードのプロバイダは、２次元コードの種々の申込側に提供される２次元コードがどの２次元コードであるか及び２次元コードの量を非常に簡単に決定することができ、これによって、２次元コードの維持及び管理を容易にする。
【００３４】
図３を参照すると、商品群の名称と２次元コードについての情報の間の対応関係を予め決定する特定のステップは、
現在の商品群の名称を入力し、ボリュームの２次元コードをスキャンし、このステップでユーザに提供されるインタフェースを図４に示し、ユーザは、コードスキャンボタンをクリックすることによって２次元コードのスキャンを開始することができ、スキャンした２次元コードを、ボリュームの開始２次元コードとして記録することと、
関連付け方法を選択し、このステップでユーザに提供されるインタフェースを図５に示し、ユーザがボリューム全体の関連付けを所望する場合、ユーザは、ボリューム全体の関連付けボタンをクリックすることができ、ユーザがボリューム内の部分的な関連付けを所望する場合、ユーザは、終了２次元コードを特定する関連付けボタンをクリックすることができ、各ボリュームの２次元コードシーケンス番号は連続的であり、各ボリュームは一定量の２次元コードを有し、したがって、２次元コードのシーケンス番号の規則に従ってボリューム全体の又は一部の連続する２次元コードを一つの商品群に関連付けるのが非常に容易になり、それに応じて、バックグラウンドデータベースは、どの２次元コードがどの商品群に関連付けられたかを記録することと、を含む。
【００３５】
関連付け方法がボリューム全体の関連付けである場合、ボリュームの他の２次元コードのシーケンス番号が、ボリュームの２次元コードのシーケンス番号割当規則及び開始２次元コードのシーケンス番号に従って決定され、ボリュームの他の２次元コードについての情報が、２次元コードのシーケンス番号と２次元コードについての情報の間の予め決定された規則及びボリュームの他の２次元コードのシーケンス番号に従って決定され、商品群とボリュームの全ての２次元コードについての情報の間の対応関係が確立される。
【００３６】
関連付け方法がボリューム内の部分的な関連付けである場合、ユーザによって入力される２次元コードのボリュームの終了２次元コードについての情報を受け取り、ボリュームの開始２次元コードと終了２次元コードの間の２次元コードのシーケンス番号を、ボリュームの２次元コードの予め決定されたシーケンス番号割当規則に従って決定され、ボリュームの開始２次元コードと終了２次元コードの間の２次元コードについての情報を、２次元コードのシーケンス番号と２次元コードについての情報の間の予め決定された規則及びボリュームの開始２次元コードと終了２次元コードの間の２次元コードのシーケンス番号に従って決定し、商品群とボリュームの開始２次元コードから終了２次元コードまでについての情報の間の対応関係が確立される。
【００３７】
オプションで、方法は、受け取った２次元コードについての情報と品物情報がブランクであるＵＲＬ又は品物情報が誤っていることを促す情報を有するページとの関連付けをユーザの命令に従って行うことを更に含む。したがって、職員が、チェックにより実際の品物が正規のものでないこと、すなわち、ＵＲＬで入力した商品情報と一致しないことを見つけたとき、職員は、２次元コードを、商品情報がブランクであるＵＲＬ又は商品情報が誤っていることを促す情報を有するページに関連付ける。
【００３８】
要約すれば、図６を参照すると、２次元コードの申込及び初期設定の全体の手順は、以下の手順を含む。
【００３９】
２次元コードの生成側は、印刷のために極めて多いブランクコードを一度に予め生成する。
【００４０】
２次元コードのユーザ側（一般的には商品プロバイダ）は、商品群の量及び用いられるコードの量を推定する。
【００４１】
２次元コードのユーザ側は、２次元コードを申し込み、２次元コードの生成側は、２次元コードのユーザ側によって申し込まれた２次元コードの量に従って２次元コードのユーザ側に２次元コードを割り当てる。
【００４２】
２次元コードのユーザ側は、商品情報を特定のＵＲＬに書き込む。
【００４３】
２次元コードのユーザ側は、ブランクコードを商品に貼り付ける。
【００４４】
（第三者又は２次元コードの生成側とすることができる）検証側は、商品を検査する、すなわち、特定のＵＲＬに書き込まれた商品情報の妥当性及び正当性を検証する。特定のＵＲＬに書き込まれた情報の正当性をこの商品群に対して検証した後、検証者は、データベースを検索することによって現在の群の名称を知るために、初期設定ＡＰＰを用いることによってこの商品群の２次元コードをスキャンする。システムは、群名を特質として用いることによって、現在の群に関連したコードの量を自動的に計数する。さらに、検証を、（コードが誤用されるのを防止するための）コードの使用の合理性をチェックするために、実際の商品の生産と一緒に当該量のコードに対して行うことができる。全ての情報が正確であった後、この群に関連する２次元コードのコードスキャンリダイレクションＵＲＬは、１クリックの初期設定ＡＰＰを用いることによって、情報が予め記録されたＵＲＬアドレスに変更される。このようにして、ブランクコード初期設定動作を完了する。情報がすべて正確でない場合、この群に関連する２次元コードのコードスキャンリダイレクションＵＲＬはブランクのままである又はこの群に関連する２次元コードのコードスキャンリダイレクションＵＲＬはプロンプト情報を有するページにリダイレクトされる。
【００４５】
すなわち、特定のＵＲＬに書き込まれた商品情報が実際の商品情報に一致しない場合、受け取った２次元コードについての情報を、ユーザの命令に従って、商品情報がブランクであるＵＲＬ又は商品情報が誤っていることを促す情報を有するページに関連付け、したがって、職員が実際の商品が正規のものでないことすなわちＵＲＬに入力された商品情報と一致しないことをチェックによって見つけたとき、職員は、２次元コードを、商品情報がブランクであるＵＲＬ又は商品情報が誤っていることを促す情報を有するページに関連付けることができる、又は、
特定のＵＲＬに書き込まれた商品情報が実際の商品情報に一致する場合、２次元コードについての情報を受け取り、２次元コードについての情報に対応する商品群の名称を、商品群の名称と２次元コードについての情報の間の予め決定された対応関係に従って決定し、商品群の名称に対応する複数の２次元コードについての情報を、２次元コードについての情報に対応する商品群の名称に従って決定し、複数の２次元コードについての情報を、商品情報が書き込まれるとともに２次元コードについての情報に対応する商品群の名称に対応するＵＲＬに関連付ける。
【００４６】
上述した方法に対応して、図７を参照すると、本願の実施の形態において提供される２次元コードの初期設定を行う装置は、
２次元コードについての情報を受け取り、品物群の名称と２次元コードについての情報の間の予め設定された対応関係に従って、２次元コードについての情報に対応する品物群の名称を決定するように構成された第１のユニット１１と、
２次元コードについての情報に対応する品物群の名称に従って、品物群の名称に対応する複数の２次元コードについての情報を決定するように構成された第２のユニット１２と、
複数の２次元コードについての情報を、商品情報が書き込まれるとともに２次元コードについての情報に対応する品物群の名称に対応するＵＲＬに関連付けるように構成された第３のユニット１３と、
を含む。
【００４７】
オプションで、ユーザによって入力された品物群の名称を受け取り、ユーザによって入力された２次元コードのボリュームの開始２次元コードについての情報を受け取り、ユーザが選択するための関連付け方法を出力し、ユーザによって選択された関連付け方法がボリューム全体の関連付けであるとき、ボリュームの２次元コードの予め決定されたシーケンス番号割当規則及び開始２次元コードのシーケンス番号に従ってボリュームの他の２次元コードのシーケンス番号を決定し、２次元コードのシーケンス番号と２次元コードについての情報の間の予め決定された対応関係及びボリュームの他の２次元コードのシーケンス番号に従ってボリュームの他の２次元コードについての情報を決定し、品物群とボリュームの全ての２次元コードについての情報の間の対応関係を確立するように、品物群の名称と２次元コードについての情報の間の対応関係を第１のユニットによって予め決定する。
【００４８】
オプションで、ユーザによって入力された品物群の名称を受け取り、ユーザによって入力された２次元コードのボリュームの開始２次元コードについての情報を受け取り、ユーザが選択するための関連付け方法を出力し、ユーザによって選択された関連付け方法がボリューム内の部分的な関連付けであるとき、ユーザによって入力された２次元コードのボリュームの終了２次元コードについての情報を受け取り、ボリュームの２次元コードの予め決定されたシーケンス番号割当規則及び開始２次元コードのシーケンス番号に従ってボリュームの開始２次元コードと終了２次元コードの間の２次元コードのシーケンス番号を決定し、２次元コードのシーケンス番号と２次元コードについての情報の間の予め決定された対応関係及びボリュームの開始２次元コードと終了２次元コードの間の２次元コードのシーケンス番号に従ってボリュームの開始２次元コードと終了２次元コードの間の２次元コードについての情報を決定し、品物群とボリュームの開始２次元コードから終了２次元コードまでについての情報の間の対応関係を確立するように、品物群の名称と２次元コードについての情報の間の対応関係を第１のユニットによって予め決定する。
【００４９】
オプションで、各ボリュームは同じ量の２次元コードを含む。
【００５０】
オプションで、各ボリュームの２次元コードのシーケンス番号は連続的である。
【００５１】
オプションで、第３のユニットは、受け取った２次元コードについての情報と品物情報がブランクであるＵＲＬ又は品物情報が誤っていることを促す情報を有するページとの関連付けをユーザの命令に従って行うように更に構成される。
【００５２】
上述したユニットのいずれかを、プロセッサのような物理的装置を用いることによって実現することができる。プロセッサを、中央処理装置（ＣＰＵ）、特定用途向け集積回路（ＡＳＩＣ）、フィールドプログラマブルゲートアレイ（ＦＰＧＡ）又はコンプレックスプログラマブルロジックデバイス（ＣＰＬＤ）とすることができる。
【００５３】
当業者は、本願の実施の形態を方法、システム又はコンピュータプログラム製品として提供できることを理解すべきである。したがって、本願は、ハードウェアのみの実施の形態、ソフトウェアのみの実施の形態又はソフトウェアとハードウェアを組み合わせる実施の形態の形をとることができる。また、本願は、コンピュータ利用可能プログラムコードを含む（ディスクメモリ、光メモリ当を含むがそれに限定されない）一つ以上のコンピュータ利用可能記憶媒体において実現されるコンピュータプログラム製品の形を用いることができる。
【００５４】
本願を、本願の実施の形態の方法、装置（システム）及びコンピュータプログラム製品のフローチャート及び／又はブロック図を参照しながら説明した。コンピュータプログラム命令をフローチャートの各工程及び／又はブロック図の各ブロック並びにフローチャートの各工程及び／又はブロック図の各ブロックの組合せを実現するために用いることができることを理解すべきである。これらのプログラム命令を、マシンを生成するために汎用コンピュータ、専用コンピュータ、組み込みプロセッサ又は他の任意のプログラマブルデータ処理装置のプロセッサに対して提供することができ、コンピュータ又は他の任意のプログラマブルデータ処理装置のプロセッサによって実行される命令は、フローチャートの一つ以上の工程及び／又はブロック図の一つ以上のブロックの特定の機能を実現する装置を生成する。
【００５５】
コンピュータプログラム命令を、特定の方法で作動するようにコンピュータ又は他の任意のプログラマブルデータ処理装置に命令を行うことができるコンピュータ可読メモリに格納することもでき、コンピュータ可読メモリに格納された命令は、命令装置を含むアーチファクトを生成する。命令装置は、フローチャートの一つ以上の工程及び／又はブロック図の一つ以上のブロックの特定の機能を実現する。
【００５６】
コンピュータプログラム命令を、コンピュータ又は他のプログラマブルデータ処理装置にロードすることもでき、一連の動作及びステップをコンピュータ又は他の任意のプログラマブルデータ処理装置において実行することができ、これによって、コンピュータ実現処理を生成する。したがって、コンピュータ又は他のプログラマブル装置で実行される命令は、フローチャートの一つ以上の工程及び／又はブロック図の一つ以上のブロックの特定の機能を実現するステップを提供する。
【００５７】
明らかに、当業者は、本願の精神及び範囲を逸脱することなく本願の種々の変更及び変形を行うことができる。このようにして、本願のこれらの変更及び変形が本願の特許請求の範囲及びその等価技術の中にある場合、本願は、これらの変更及び変形を含むこと意図する。
【図１】
2019505050.tif 000003
【図２】
2019505050.tif 000004
【図３】
2019505050.tif 000005
【図４】
2019505050.tif 000006
【図５】
2019505050.tif 000007
【図６】
2019505050.tif 000008
【図７】
2019505050.tif 000009
【国際調査報告】
2019505050.tif 000010
2019505050.tif 000011
2019505050.tif 000012
2019505050.tif 000013